(57)【特許請求の範囲】
【請求項１】
前面に開口部を有する貯蔵室内に着脱可能に配されて内容物を出し入れ時に前後にスライド移動する収納容器を備えた冷蔵庫において、前記収納容器の両側壁に突設して前方から順に配される各一対の第１摺動子、第２摺動子及び第３摺動子と、スライド移動時に前記第１摺動子及び前記第２摺動子を摺動案内する主案内部と、前記主案内部の上方に配されるとともに前記収納容器の着脱時に前記第３摺動子を摺動案内する補助案内部と、前記補助案内部の上方に配してスライド移動時に前記第３摺動子の当接により前記収納容器の前進を規制する第１規制部とを備え、
前記主案内部及び前記補助案内部の前端が、前記開口部に設けられていることを特徴とする冷蔵庫。
【請求項２】
前記収納容器の着脱時に、後傾姿勢の前記収納容器の前記第３摺動子が前記第１規制部の下方を通過するように前記補助案内部により前記第３摺動子を摺動案内するとともに、前記第３摺動子が前記第１規制部を通過する際に、前記第１摺動子が前記主案内部の前端よりも後方に配されることを特徴とする請求項１に記載の冷蔵庫。
【請求項３】
前記主案内部の前端下部に形成した段差によって、前記収納容器の着脱時に前記収納容器の後傾角度を規制する角度規制部を設けたことを特徴とする請求項２に記載の冷蔵庫。
【請求項４】
前記第１摺動子が前記第２摺動子よりも下方に配されるとともに、前記主案内部が後部で分岐して前記第１摺動子が嵌合する第１嵌合溝と、前記第２摺動子が嵌合する第２嵌合溝とを有し、前記収納容器の装着時に、前記第３摺動子が前記第１規制部の下方を通過した後に、前記第２摺動子が前記第２嵌合溝に嵌合することを特徴とする請求項１〜請求項３のいずれかに記載の冷蔵庫。
【請求項５】
前記第１摺動子及び前記第２摺動子が同じ高さに配されるとともに、前記収納容器が収納された状態で、前記主案内部は前記第１摺動子及び前記第２摺動子の両方が嵌合する嵌合溝を有し、前記収納容器の装着時に、前記第３摺動子が前記第１規制部の下方を通過した後に、前記第２摺動子が前記嵌合溝に嵌合することを特徴とする請求項１〜請求項３のいずれかに記載の冷蔵庫。
【請求項６】
前記第１規制部が前記収納容器の前方への移動速度を低下させる緩衝装置から成ることを特徴とする請求項１〜請求項５のいずれかに記載の冷蔵庫。
【請求項７】
前記第１規制部が前記収納容器の前方への移動速度を低下させる緩衝装置から成り、
前記収納容器のスライド移動時に前記第３摺動子の押圧により前記緩衝装置が変位した後、前記第１摺動子が当接して前記収納容器の前進を規制する第２規制部を前記角度規制部の後方に設けたことを特徴とする請求項３に記載の冷蔵庫。
【発明の詳細な説明】
【技術分野】
【０００１】
本発明は、貯蔵室内に出し入れ可能な収納容器を備える冷蔵庫に関する。
【背景技術】
【０００２】
従来の冷蔵庫は特許文献１に開示される。この冷蔵庫は、冷蔵室の上部と下段に入れ替え可能な収納容器が設けられている。収納容器の両側壁にはスライド溝及びストッパ部が突設されている。スライド溝は前後方向に延びて後端が開放されたＵ字状に形成される。ストッパ部はスライド溝の後端より後方且つ上方に配される。【０００３】
収納容器の両側方には前後方向に延びるガイドレール及び上段ガイド溝が設けられている。ガイドレールはスライド溝の後端から挿入されてスライド溝に沿って摺動する。上段ガイド溝はガイドレールの上方に配されて前端が開放されており、ストッパ部は上段ガイド溝の前端から挿入されて上段ガイド溝に沿って摺動する。また、上段ガイド溝の前端部の上面には凹部が設けられており、凹部にストッパ部が係合する。【０００４】
収納容器を最も引き出したときに、収納容器が前傾してストッパ部が上方に上がり、上段ガイド溝の凹部に係合する。これにより、収納容器の前方への移動を規制して収納容器の落下が防止される。また、収納容器は前傾姿勢で保持される。【０００５】
収納容器を冷蔵室から取り外す場合、収納容器の前部を上方に引き上げて凹部に係合したストッパ部を下方に下げて外しながら上段ガイド溝の最前部を下方からくぐらせながら前方に引き出す。【０００６】
一方、収納容器を装着する場合、収納容器の前部を上方に持ち上げてストッパ部を下方に下げた姿勢で上段ガイド溝の最前部を下方からくぐらせる。その後、収納容器の前部を下方に下げた姿勢でスライド溝の後端にガイドレールの前端を挿入させて収納容器を後方に差し込む。
【先行技術文献】
【特許文献】
【０００７】
【特許文献１】特開２０１２−３７１２５号公報
【発明の概要】
【発明が解決しようとする課題】
【０００８】
しかしながら、上記特許文献１に開示された冷蔵庫によると、収納容器の装着時に上段ガイド溝の最前部に対してストッパ部を下方からくぐらせる。この時、上段ガイド溝の最前部が奥側にあるため、手探りでストッパ部を上段ガイド溝に嵌め込まなければならず、利便性が低い問題があった。また、収納容器を上下方向に動かしながら後方に移動させる動作が不安定になり、ストッパ部が上段ガイド溝と衝突して破損する問題があった。【０００９】
本発明は、破損を防止しながら円滑に収納容器を装着可能な冷蔵庫を提供することを目的とする。
【課題を解決するための手段】
【００１０】
上記目的を達成するために本発明の冷蔵庫は、前面に開口部を有する貯蔵室内に着脱可能に配されて内容物を出し入れ時に前後にスライド移動する収納容器を備えた冷蔵庫において、前記収納容器の両側壁に突設して前方から順に配される各一対の第１摺動子、第２摺動子及び第３摺動子と、スライド移動時に前記第１摺動子及び前記第２摺動子を摺動案内する主案内部と、前記主案内部の上方に配されるとともに前記収納容器の着脱時に前記第３摺動子を摺動案内する補助案内部と、前記補助案内部の上方に配してスライド移動時に前記第３摺動子の当接により前記収納容器の前進を規制する第１規制部とを備え、前記主案内部及び前記補助案内部の前端が、前記開口部に設けられていることを特徴としている。【００１１】
また、本発明は上記構成の冷蔵庫において、前記収納容器の着脱時に、後傾姿勢の前記収納容器の前記第３摺動子が前記第１規制部の下方を通過するように前記補助案内部により前記第３摺動子を摺動案内するとともに、前記第３摺動子が前記第１規制部を通過する際に、前記第１摺動子が前記主案内部の前端よりも後方に配されることを特徴としている。【００１２】
また、本発明は上記構成の冷蔵庫において、前記主案内部の前端下部に形成した段差によって、前記収納容器の着脱時に前記収納容器の後傾角度を規制する角度規制部を設けたことを特徴としている。【００１３】
また、本発明は上記構成の冷蔵庫において、前記第１摺動子が前記第２摺動子よりも下方に配されるとともに、前記主案内部が後部で分岐して前記第１摺動子が嵌合する第１嵌合溝と、前記第２摺動子が嵌合する第２嵌合溝とを有し、前記収納容器の装着時に、前記第３摺動子が前記第１規制部の下方を通過した後に、前記第２摺動子が前記第２嵌合溝に嵌合することを特徴としている。【００１４】
また、本発明は上記構成の冷蔵庫において、前記第１摺動子及び前記第２摺動子が同じ高さに配されるとともに、前記収納容器が収納された状態で、前記主案内部は前記第１摺動子及び前記第２摺動子の両方が嵌合する嵌合溝を有し、前記収納容器の装着時に、前記第３摺動子が前記第１規制部の下方を通過した後に、前記第２摺動子が前記嵌合溝に嵌合することを特徴としている。【００１５】
また、本発明は上記構成の冷蔵庫において、前記第１規制部が前記収納容器の前方への移動速度を低下させる緩衝装置から成ることを特徴としている。【００１６】
また、本発明は上記構成の冷蔵庫において、前記第１規制部が前記収納容器の前方への移動速度を低下させる緩衝装置から成り、前記収納容器のスライド移動時に前記第３摺動子の押圧により前記緩衝装置が変位した後、前記第１摺動子が当接して前記収納容器の前進を規制する第２規制部を前記角度規制部の後方に設けたことを特徴としている。
【発明の効果】
【００１７】
本発明によると、収納容器の装着時に、主案内部及び補助案内部の前端が貯蔵室の前面に配された開口部に設けられており、使用者は挿入時に目視で確認しながら、第３摺動子を補助案内部の前端から挿入した後、第２摺動子及び第１摺動子を順に主案内部の前端に挿入することができる。このため、第１摺動子、第２摺動子及び第３摺動子が主案内部及び補助案内部の前端から上下にずれて衝突し、破損するのを防止して収納容器を円滑に装着することができる。
【図面の簡単な説明】
【００１８】
【図１】本発明の第１実施形態の冷蔵庫の正面図
【図２】本発明の第１実施形態の冷蔵庫の側面断面図
【図３】本発明の第１実施形態の冷蔵庫の貯氷容器の斜視図
【図４】本発明の第１実施形態の冷蔵庫の貯氷室を示す側面断面図
【図５】本発明の第１実施形態の冷蔵庫の貯氷容器の引き出し動作を説明する側面断面図
【図６】本発明の第１実施形態の冷蔵庫の貯氷容器の引き出し動作を説明する側面断面図
【図７】本発明の第１実施形態の冷蔵庫の貯氷容器の引き出し動作を説明する側面断面図
【図８】本発明の第１実施形態の冷蔵庫の貯氷容器の取り外し動作を説明する側面断面図
【図９】本発明の第１実施形態の冷蔵庫の貯氷容器の取り外し動作を説明する側面断面図
【図１０】本発明の第１実施形態の冷蔵庫の貯氷容器の装着動作を説明する側面断面図
【図１１】本発明の第１実施形態の冷蔵庫の貯氷容器の装着動作を説明する側面断面図
【図１２】本発明の第１実施形態の冷蔵庫の貯氷容器の装着動作を説明する側面断面図
【図１３】本発明の第１実施形態の冷蔵庫の貯氷容器の装着動作を説明する側面断面図
【図１４】本発明の第１実施形態の冷蔵庫の貯氷容器の装着動作を説明する側面断面図
【図１５】本発明の第２実施形態の冷蔵庫の貯氷容器の着脱動作を説明する側面断面図
【図１６】本発明の第２実施形態の冷蔵庫の貯氷容器の着脱動作を説明する側面断面図
【図１７】本発明の第２実施形態の冷蔵庫の貯氷容器の着脱動作を説明する側面断面図
【図１８】本発明の第２実施形態の冷蔵庫の貯氷容器の着脱動作を説明する側面断面図
【図１９】本発明の第３実施形態の冷蔵庫の貯氷容器の着脱動作を説明する側面断面図
【図２０】本発明の第３実施形態の冷蔵庫の貯氷容器の着脱動作を説明する側面断面図
【図２１】本発明の第３実施形態の冷蔵庫の貯氷容器の着脱動作を説明する側面断面図
【図２２】本発明の第３実施形態の冷蔵庫の貯氷容器の着脱動作を説明する側面断面図
【図２３】本発明の第３実施形態の冷蔵庫の貯氷容器の着脱動作を説明する側面断面図
【図２４】本発明の第４実施形態の冷蔵庫の貯氷容器の着脱動作を説明する側面断面図
【発明を実施するための形態】
【００１９】
＜第１実施形態＞
以下に図面を参照して本発明の実施形態を説明する。図１は、本発明の第１実施形態の冷蔵庫１の正面図であり、図２は冷蔵庫１の側面断面図である。
【００２０】
冷蔵庫１は上方から順に冷蔵室２、野菜室３及び冷凍室４を有している。各貯蔵室は断熱壁２０で仕切られている。また、冷凍室４内には前面に開口部３８ａを有する貯氷室３８が設けられる。貯氷室３８は仕切壁４０により側方及び下方を囲まれている。
【００２１】
また、冷蔵室２は例えば４℃に設定され、貯蔵物を冷蔵保存する。野菜室３は冷蔵室２よりも高温の例えば８℃に設定され、野菜等の貯蔵物を冷蔵保存する。冷凍室４は例えば−２０℃に設定され、貯蔵物を冷凍保存する。
【００２２】
冷蔵室２は観音開きの扉５Ｌと５Ｒとを有する。野菜室３は引き出し式の扉６を有する。冷凍室４は観音開きの扉７Ｌと７Ｒとを有する。
【００２３】
冷蔵庫１の背面には圧縮機９が設けられている。圧縮機９には冷却器１０、凝縮器（不図示）、膨張器（不図示）が接続され、イソブタン等の冷媒を循環させて冷凍サイクルを形成している。
【００２４】
また、各貯蔵室の背後には冷気通路（不図示）が設けられ、冷凍サイクルの低温側である冷却器１０と熱交換した空気が冷気通路を介して各貯蔵室に送られる。
【００２５】
また、冷蔵庫１は自動的に氷を作成する自動製氷器１２を備えている。自動製氷器１２は冷蔵室２内に配される給水タンク２１、貯氷室３８内に配される製氷皿３１及び貯氷容器（収納容器）３３を備える。
【００２６】
製氷皿３１は貯氷容器３３の上方に配され、給水タンク２１から製氷皿３１への水の給水は給水パイプ２５を介して行われる。給水パイプ２５は冷蔵室２から断熱壁２０を通って貯氷室３８へ延設され、給水パイプ２５の下端は製氷皿３１の上方に配されている。
【００２７】
製氷皿３１には給水パイプ２５から給水タンク２１内の水が供給され、製氷が行われる。また、製氷皿３１は製氷モータ３２に連結されている。製氷モータ３２は製氷皿３１を捻り、製氷皿３１から氷Ｍを離脱させて貯氷容器３３に落下させる。
【００２８】
貯氷容器３３は製氷皿３１から離脱された氷Ｍを貯留する。使用者は扉７Ｌを開けた後に貯氷容器３３を前方に引き出して氷Ｍを使用する。また、貯氷容器３３は貯氷室３８から着脱できるように設けられている。
【００２９】
図３は貯氷容器３３の斜視図を示している。貯氷容器３３は矩形状の底面に前面壁３４、側面壁３６、３７、背面壁３５が起立して上方が開放された箱状に形成されている。また、前面壁３４の上部には取手部３４ａが設けられている。取手部３４ａの底部は凹状に形成されており、底部に下方から手指を挿入して貯氷容器３３を前後方向に出し入れすることができる。
【００３０】
また、貯氷容器３３の側面壁３６及び側面壁３７には前方から順に各一対の第１摺動子４１、第２摺動子４２及び第３摺動子４３が突設されている。第１摺動子４１の上方に第２摺動子４２が配され、第２摺動子４２の上方に第３摺動子４３が配されている。
【００３１】
図４は貯氷室３８の側面断面図を示している。貯氷室３８の両側壁３９の内面には前後方向に延びる主案内部５１及び補助案内部５２が設けられる。主案内部５１及び補助案内部５２の前端は開口部３８ａに設けられている。主案内部５１は側壁３９に凹設した溝形状に形成される。詳細を後述するように、貯氷容器３３は氷Ｍを取り出す際に第１摺動子４１及び第２摺動子４２が主案内部５１に摺動案内されて前後にスライド移動する。
【００３２】
主案内部５１の後部は嵌合溝５１ｅ及び嵌合溝５１ｆに分岐する。嵌合溝５１ｅ（第１嵌合溝）は第１摺動子４１が嵌合し、嵌合溝５１ｅの上方に配される嵌合溝５１ｆ（第２嵌合溝）は第２摺動子４２が嵌合する。
【００３３】
主案内部５１の前部には嵌合溝５１ｅの下面に連続して前方が下がる傾斜面５１ａが設けられる。傾斜面５１ａの前端には段差５１ｂが設けられている。段差５１ｂは規制部５１ｃ（第２規制部）と角度規制部５１ｄとを有する。
【００３４】
規制部５１ｃは傾斜面５１ａの前端から立設し、第１摺動子４１が当接して貯氷容器３３の前進を規制する。また、角度規制部５１ｄは規制部５１ｃの上端から前方に延びる。つまり、規制部５１ｃは角度規制部５１ｄの後方に配されている。また、角度規制部５１ｄの前端部には段差部５８が設けられている。
【００３５】
補助案内部５２は主案内部５１の上方に配され、側壁３９上に設けた段差によりレール状に形成される。詳細を後述するように、貯氷容器３３の着脱時に第３摺動子４３が補助案内部５２に摺動案内される。
【００３６】
補助案内部５２の上方には緩衝装置５４（第１規制部）が設けられる。緩衝装置５４は第３摺動子４３が当接して貯氷容器３３の前進を規制する。緩衝装置５４はアーム部５６、捻りバネ５５及び支持部５７を有している。支持部５７は側壁３９上に設けられ、アーム部５６を前後方向に回動可能に軸支する。アーム部５６は支持部５７により上部を軸支され、後面に第３摺動子４３の当接面５６ａが形成される。
【００３７】
捻りバネ５５は両端をそれぞれ支持部５７及びアーム部５６に係止され、当接面５６ａが後方に回動する方向にアーム部５６を付勢する。また、側壁３９上には捻りバネ５５により付勢されたアーム部５６を係止する係止部６０が設けられる。
【００３８】
図４に示すように、貯氷容器３３が後端まで挿入された状態において第１摺動子４１が嵌合溝５１ｅに嵌合し、第２摺動子４２は嵌合溝５１ｆに嵌合している。また、第３摺動子４３は補助案内部５２に当接せずに浮いた状態で配されている。
【００３９】
この状態から取手部３４ａの底部に手指を掛けて貯氷容器３３の前部を支持しながら貯氷容器３３を前方に引き出す。このとき、嵌合溝５１ｅ、５１ｆが第１、第２摺動子４１、４２を各々摺動案内する。貯氷容器３３の前進移動時、貯氷容器３３は第１、第２摺動子４１、４２で支持されており、貯氷容器３３の重みによる使用者の手指に掛かる負担を軽減することができる。
【００４０】
さらに貯氷容器３３を前進させると、図５に示すように、第１摺動子４１が傾斜面５１ａを摺動する。このとき、第２摺動子４２を支点にして貯氷容器３３が前傾姿勢になる。そして、第３摺動子４３がアーム部５６の当接面５６ａに後方から当接する。
【００４１】
図６に示すように、貯氷容器３３をさらに前進させると、第３摺動子４３が緩衝装置５４のアーム部５６を前方に押圧する。この時、アーム部５６に働く後方への付勢力によって貯氷容器３３の前方への移動速度が低下する。緩衝装置５４によって貯氷容器３３が減速するため、貯氷容器３３を前方に引き出す際に、第１摺動子４１が規制部５１ｃに勢いよく衝突して破損するのを防止することができる。
【００４２】
貯氷容器３３をさらに前進させると、第１摺動子４１が規制部５１ｃに当接する。第１摺動子４１は規制部５１ｃによって前方への移動が規制されており、貯氷容器３３をこれ以上水平方向前方へ引き出すことはできない。このため、貯氷容器３３が貯氷室３８から外れて落下するのを防止することができる。
【００４３】
また、貯氷容器３３の前部が傾斜面５１ａに沿って下方に傾いており、氷Ｍが貯氷容器３３の前部に集まって貯氷容器３３が引き出される。従って、氷Ｍを貯氷容器３３から取り出し易くなり、利便性が向上する。また、第１摺動子４１が規制部５１ｃに当接するときには緩衝装置５４によって貯氷容器３３が減速している。このため、第１摺動子４１が規制部５１ｃに衝突する衝撃によって貯氷容器３３内の氷Ｍが飛散することを防止できる。
【００４４】
なお、規制部５１ｃの前方の角度規制部５１ｄに段差部５８が設けられる。このため、使用者が誤って貯氷容器３３の前部を持ち上げながら前方に引き出した際に、角度規制部５１ｄに乗り上げた第１摺動子４１が段差部５８に当接する。これにより、貯氷容器３３の前方への移動が規制され、使用者が誤って貯氷容器３３を取り外して貯氷容器３３が落下するのを防止することができる。
【００４５】
次に、貯氷容器３３を取り外す場合は、図７に示すように、規制部５１ｃに第１摺動子４１が当接した貯氷容器３３の前部が持ち上げられる。これにより、第２摺動子４２を支点にして第１摺動子４１が上昇し、第３摺動子４３が下方に回動してアーム部５６から離れる。これにより、アーム部５６は後方に回動して係止部６０により係止される。
【００４６】
図８に示すように、貯氷容器３３の前部がさらに持ち上げられると、第１摺動子４１が角度規制部５１ｄの上方に配され、貯氷容器３３が後傾姿勢をとる。この時、第３摺動子４３が補助案内部５２に当接して貯氷容器３３の自重を支持して第２摺動子４２は嵌合溝５１ｆから離れる。
【００４７】
そして、図９に示すように、後傾姿勢の貯氷容器３３を水平方向前方に引き出すことにより、第３摺動子４３が貯氷容器３３を支持しながら補助案内部５２により摺動案内される。これにより、主案内部５１から第１摺動子４１が脱離する。続いて、主案内部５１から第２摺動子４２が脱離し、最後に補助案内部５２から第３摺動子４３が脱離する。これにより、貯氷容器３３が取り出される。
【００４８】
なお、第３摺動子４３が緩衝装置５４を通過する際に、主案内部５１内に第１摺動子４１が配されており、貯氷容器３３の後傾角度が制限される。従って、第３摺動子４３が緩衝装置５４を通過する際に、第１摺動子４１又は第２摺動子４２を支点にして第３摺動子４３が上方に回動するのを防ぎ、第３摺動子４３及び緩衝装置５４の衝突による破損を防止することができる。
【００４９】
次に、貯氷容器３３の装着時は、図９に示すように第３摺動子４３を補助案内部５２に摺動させながら貯氷容器３３を後方に差し込む。次に、第２摺動子４２を主案内部５１に挿入し、貯氷容器３３を後傾姿勢にして主案内部５１の上面に摺動させる。これにより、貯氷容器３３は前後方向に第２摺動子４２及び第３摺動子４３の二点で支持され、後傾姿勢の傾斜角度が制限される。
【００５０】
なお、主案内部５１及び補助案内部５２の前端が開口部３８ａに設けられており、使用者は挿入時に目視で確認しながら、第３摺動子４３を主案内部５１の前端から挿入した後、第２摺動子４２及び第１摺動子４１を順に補助案内部の前端に挿入することができる。このため、第１摺動子４１、第２摺動子４２及び第３摺動子４３が主案内部５１及び補助案内部５２の前端から上下にずれて衝突し、破損するのを防止して貯氷容器３３を円滑に装着することができる。
【００５１】
貯氷容器３３をさらに後進させると、図１０に示すように、第１摺動子４１が主案内部５１に挿入される。このとき、第２摺動子４２及び第３摺動子４３で支持された貯氷容器３３は所定角度以上に後傾しないため、第１摺動子４１が持ち上げられて補助案内部５２に誤って挿入するのを防ぐことができる。
【００５２】
また、第１摺動子４１を主案内部５１に挿入するために、貯氷容器３３の前部を持ち上げておく必要があり、主案内部５１内の第２摺動子４２が降下し過ぎないように規制される。そして、図１１に示すように、第２摺動子４２は嵌合溝５１ｅに挿入されずに嵌合溝５１ｆに誘導されて挿入される。
【００５３】
この時、第１摺動子４１が角度規制部５１ｄの上方まで移動した位置で第２摺動子４２は既に嵌合溝５１ｆ内に挿入されている。このため、貯氷容器３３を更に後傾させると嵌合溝５１ｆ内の第２摺動子４２と補助案内部５２内の第３摺動子４３によって貯氷容器３３が支持され、所定の角度以上に後傾しないように規制される。したがって、第１摺動子４１の嵌合溝５１ｆへの誤挿入を防止できる。
【００５４】
また、第３摺動子４３が緩衝装置５４を通過するまでは貯氷容器３３の重みにより第３摺動子４３が補助案内部５２の下面に当接することで貯氷容器３３の後部が支持されている。このため、第３摺動子４３が補助案内部５２の下面から離れて浮く状態になり難い。従って、第３摺動子４３が緩衝装置５４の下方を通過する際に、第３摺動子４３が緩衝装置５４に衝突するのを防止できる。
【００５５】
貯氷容器３３をさらに後進させると、図１２に示すように、第２摺動子４２が嵌合溝５１ｆに嵌合する。このとき、第３摺動子４３が緩衝装置５４の下方を通過した後であり、貯氷容器３３を前傾させて第２摺動子４２を支点にして第３摺動子４３が上方に回動した場合でも第３摺動子４３及び緩衝装置５４が衝突し、破損するのを防止することができる。
【００５６】
図１３に示すように、貯氷容器３３が後傾姿勢を維持した状態でさらに後進すると、前述の通り、貯氷容器３３は第２摺動子４２及び第３摺動子４３によって、所定の角度以上に後傾しないように規制されている。このため、第１摺動子４１が嵌合溝５１ｅに挿入されずに嵌合溝５１ｅ、５１ｆ間の仕切壁５９の前端部に当接する。
【００５７】
そして、図１４に示すように、貯氷容器３３の前部を下方に下げて後傾姿勢を前傾姿勢に戻すことにより、第２摺動子４２を支点にして第１摺動子４１が下方に回動して傾斜面５１ａに当接する。また、第３摺動子４３は上方に持ち上げられて補助案内部５２上から離れ、緩衝装置５４の後方に配される。
【００５８】
さらに貯氷容器３３を後進させると、嵌合溝５１ｅにより第１摺動子４１が摺動案内され、嵌合溝５１ｆにより第２摺動子４２が摺動案内される。この時、貯氷容器３３が第１摺動子４１及び第２摺動子４２により前後の２点で支持され、貯氷容器３３の姿勢が安定して挿入される。そして、前述の図４に示すように貯氷容器３３が後端位置に配される。
【００５９】
本実施形態によると、主案内部５１及び補助案内部５２の前端が開口部３８ａに設けられており、使用者は挿入時に目視で確認しながら、第３摺動子４３を主案内部５１の前端から挿入した後、第２摺動子４２及び第１摺動子４１を順に補助案内部の前端に挿入することができる。このため、第１摺動子４１、第２摺動子４２及び第３摺動子４３が主案内部５１及び補助案内部５２の前端から上下にずれて衝突し、破損するのを防止して貯氷容器３３を円滑に装着することができる。
【００６０】
また、貯氷容器３３の着脱時に、後傾姿勢の貯氷容器３３の第３摺動子４３が緩衝装置５４（第１規制部）の下方を通過するように補助案内部５２により第３摺動子４３を摺動案内するとともに、第３摺動子４３が緩衝装置５４を通過する際に、第１摺動子４１が主案内部５１の前端よりも後方に配される。これにより、貯氷容器３３の後傾角度が制限される。従って、第１摺動子４１又は第２摺動子４２を支点にして第３摺動子４３が上方に回動するのを防ぐことができる。従って、第３摺動子４３及び緩衝装置５４の衝突による破損を防止することができる。
【００６１】
また、主案内部５１の前端下部に形成した段差５１ｂによって、貯氷容器３３の着脱時に貯氷容器３３の後傾角度を規制する角度規制部５１ｄを設けた。これにより、脱着時に第１摺動子４１が角度規制部５１ｄを乗り越える際の貯氷容器３３の後傾角度を規制することができる。従って、第３摺動子４３が緩衝装置５４を通過する際に第３摺動子４３が上方に回動して緩衝装置５４に衝突するのを防止することができる。
【００６２】
また、第１摺動子４１が第２摺動子４２よりも下方に配されるとともに、主案内部５１が後部で分岐して第１摺動子４１が嵌合する嵌合溝５１ｅ（第１嵌合溝）と、第２摺動子４２が嵌合する嵌合溝５１ｆ（第２嵌合溝）とを有し、貯氷容器３３の装着時に、第３摺動子４３が緩衝装置５４（第１規制部）の下方を通過した後に、第２摺動子４２が嵌合溝５１ｆに嵌合する。これにより、第２摺動子４２は第３摺動子４３が緩衝装置５４を通過する際に主案内部５１内に浮いた状態にある。従って、貯氷容器３３の後傾角度を変えても第２摺動子４２が嵌合溝５１ｆの下面に当接して支点となり第３摺動子４３が上方に回動して緩衝装置５４に衝突するのを防止することができる。
【００６３】
また、緩衝装置５４によって貯氷容器３３の前方への前進を規制するため、前進する貯氷容器３３が減速される。このため、第３摺動子４３と従来例のような前進の規制部との高速の衝突による第３摺動子４３の破損を防止することができる。
【００６４】
また、貯氷容器３３のスライド移動時に第３摺動子４３の押圧により緩衝装置５４が変位した後、第１摺動子４１が当接して貯氷容器３３の前進を規制する規制部５１ｃ（第２規制部）を角度規制部５１ｄの後方に設けた。これにより、第１摺動子４１及び規制部５１ｃとの高速の衝突による破損を防止することができる。
【００６５】
また、角度規制部５１ｄに段差部５８が形成される。このため、使用者が誤って貯氷容器３３の前部を持ち上げながら前方に引き出した際に、角度規制部５１ｄに乗り上げた第１摺動子４１が段差部５８に当接する。これにより、貯氷容器３３の前方への移動が規制され、使用者が誤って貯氷容器３３を取り外して貯氷容器３３が落下するのを防止することができる。
【００６６】
＜第２実施形態＞
図１５は第２実施形態の貯氷容器３３の側面断面図を示している。なお、第１実施形態と同様の部分には同一符号を付して説明を省略する。第１実施形態に対して第２実施形態は主案内部５１が分岐しておらず、主案内部５１は嵌合溝５１ｇを有する。また、緩衝装置５４（図４参照）に替えて規制部（第１規制部）６１が設けられている。
【００６７】
主案内部５１及び補助案内部５２は貯氷室３８の側壁３９に凹設した溝形状に形成される。主案内部５１の後部には第１摺動子４１及び第２摺動子４２が嵌合する嵌合溝５１ｇが設けられる。嵌合溝５１ｇの前方は上方に拡幅され、嵌合溝５１ｇの前端から上方に延びる垂直面５１ｈが形成される。また、主案内部５１の前端部には段差５１ｂから成る規制部５１ｃ（第２規制部）及び角度規制部５１ｄが形成される。
【００６８】
補助案内部５２は後部が拡幅され、段差によって規制部６１が形成される。また、案内部５２の上面には連続して前方に上がる傾斜面５２ａが設けられている。これにより、補助案内部５２の前部が上方に徐々に拡幅される。
【００６９】
また、貯氷容器３３の第１摺動子４１及び第２摺動子４２は同じ高さに設けられ、第３摺動子４３よりも下方に配される。また、第３摺動子４３は第２摺動子４２を中心にして第２摺動子４２の垂直上方から３０度以上後方に回動させた位置に配されている。
【００７０】
図１６に示すように、後端位置の貯氷容器３３が水平方向前方に引き出されると、第３摺動子４３が規制部６１に当接する。これにより、貯氷容器３３の前進が規制され、貯氷容器３３が貯氷室３８から外れて落下することを防止できる。
【００７１】
貯氷容器３３を取り外す場合は、第３摺動子４３が規制部６１に当接した状態から図１７に示すように、貯氷容器３３の前部が持ち上げられる。これにより、第２摺動子４２を支点にして第１摺動子４１が回動し、角度規制部５１ｄよりも上方に配される。また、第３摺動子４３は下方に回動し、補助案内部５２の下面に当接するとともに規制部６１の下方に配される。
【００７２】
このとき、第３摺動子４３は第２摺動子４２を中心にして第２摺動子４２の垂直上方から３０度以上後方に回動させた位置に配されているため、第３摺動子４３が補助案内部５２の下面に当接したとき貯氷容器３３の後傾姿勢の傾斜角度が小さく保たれ、貯氷容器３３の取り外しの利便性が向上する。
【００７３】
後傾姿勢の貯氷容器３３を水平方向前方へ引き出すと、補助案内部５２により第３摺動子４３が摺動案内され、嵌合溝５１ｇにより第２摺動子４２が摺動案内される。このとき、貯氷容器３３が第２摺動子４２及び第３摺動子４３により前後の２点で支持され、貯氷容器３３を円滑に引き出すことができる。
【００７４】
貯氷容器３３をさらに水平方向前方へ引き出し、図１８に示すように、第３摺動子４３が規制部６１の下方を通過して第１摺動子４１が主案内部５１から脱離した後、貯氷容器３３の後部を持ち上げると第３摺動子４３が傾斜面５２ａに当接する。
【００７５】
なお、第３摺動子４３が規制部６１を通過する際に、第１摺動子４１は主案内部５１内に配されており、貯氷容器３３の後傾角度が制限されている。
【００７６】
この姿勢で第３摺動子４３を傾斜面５２ａに摺動させながら貯氷容器３３を引き出すと、第２摺動子４２が角度規制部５１ｄよりも上方に移動して第２摺動子４２が主案内部５１から脱離し、最後に第３摺動子４３が補助案内部５２から脱離する。これにより、貯氷容器３３が貯氷室３８から取り外される。傾斜面５２ａを設けることにより、貯氷容器３３を小さく後傾させた姿勢で第２摺動子４２を主案内部５１から容易に脱離させることができ、利便性が向上する。
【００７７】
貯氷容器３３を貯氷室３８に装着する場合は、図１８に示すように、第３摺動子４３を傾斜面５２ａに摺動させて貯氷容器３３を水平方向後方に差し込む。そして、第２摺動子４２を主案内部５１に挿入して第２摺動子４２を主案内部５１の下面に当接させて貯氷容器３３を水平方向後方に更に差し込む。
【００７８】
図１７に示すように、貯氷容器３３の前部を持ち上げて第１摺動子４１が主案内部５１に挿入される高さまで貯氷容器３３を後傾させてさらに水平方向後方に差し込む。これにより、貯氷容器３３は第３摺動子４３が補助案内部５２に摺動案内されて第２摺動子４２が主案内部５１に摺動案内される。そして、第３摺動子４３が規制部６１の下方を通過した後に第２摺動子４２が嵌合溝５１ｇに嵌合する。更に貯氷容器３３を水平方向後方に差し込むことにより、第１摺動子４１が角度規制部５１ｄの後端上方を通過する。
【００７９】
なお、第２摺動子４２は第３摺動子４３が規制部６１を通過した後に嵌合溝５１ｇに嵌合する。このため、第３摺動子４３が規制部６１を通過する際に嵌合溝５１ｇに嵌合する第２摺動子４２が支点となって第３摺動子４３が上方に回動するのを防ぐことができる。これにより、第３摺動子４３が規制部６１に衝突するのを防止することができる。
【００８０】
第１摺動子４１が角度規制部５１ｄの後端上方を通過すると、図１６に示すように、貯氷容器３３の前部が下げられる。これにより、第２摺動子４２を支点にして第１摺動子４１は下方に回動し、第１摺動子４１が主案内部５１の下面に当接する。また、第３摺動子４３は既に規制部６１の下方を通過し、上方に回動して規制部６１に面して配される。
【００８１】
さらに貯氷容器３３が後進すると、第１摺動子４１及び第２摺動子４２が嵌合溝５１ｇに摺動案内され、図１５に示すように後端位置に配される。
【００８２】
本実施形態によると、第１実施形態と同様の効果を得ることができる。また、第１摺動子４１及び第２摺動子４２が同じ嵌合溝５１ｇにより摺動案内されるため、主案内部５１の構造を簡素化して冷蔵庫１のコストを削減することができる。
【００８３】
また、傾斜面５２ａを設けることにより、貯氷容器３３の装脱の際、貯氷容器３３の後傾姿勢の傾斜角度を小さくして第２摺動子４２を主案内部５１へ容易に着脱させることができる。
【００８４】
また、第１摺動子４１及び第２摺動子４２が同じ高さに配されるとともに、貯氷容器３３が収納された状態で、主案内部５１は第１摺動子４１及び第２摺動子４２の両方が嵌合する嵌合溝５１ｇを有し、貯氷容器３３の装着時に、第３摺動子４３が規制部６１の下方を通過した後に、第２摺動子４２が嵌合溝５１ｇに嵌合する。
【００８５】
これにより、嵌合溝５１ｇに嵌合する第２摺動子４２が支点となって第３摺動子４３が上方に回動して規制部６１に衝突するのを防止することができる。
【００８６】
本実施形態において、第１実施形態と同様の傾斜面５１ａ（図４参照）を設けてもよい。また、第１実施形態と同様に規制部６１の替わりに緩衝装置５４を設けることにより、貯氷容器３３を引き出す際に減速させて、貯氷容器３３内の氷Ｍが飛散することを防止できる。
【００８７】
＜第３実施形態＞
図１９は第３実施形態の貯氷容器３３の側面断面図を示している。なお、第２実施形態と同様の部分には同一符号を付して説明を省略する。第２実施形態に対して第３実施形態は傾斜面５２ａが設けられていない。
【００８８】
図２０に示すように、後端位置の貯氷容器３３が水平方向前方に引き出されると、第３摺動子４３が規制部６１に当接する。これにより、貯氷容器３３の前進が規制され、貯氷容器３３が貯氷室３８から外れて落下することを防止できる。
【００８９】
貯氷容器３３を取り外す場合は、第３摺動子４３が規制部６１に当接した状態から図２１に示すように、貯氷容器３３の前部が持ち上げられる。これにより、第２摺動子４２を支点にして第１摺動子４１が回動し、角度規制部５１ｄよりも上方に配される。また、第３摺動子４３は下方に回動し、補助案内部５２の下面に当接するとともに規制部６１の下方に配される。
【００９０】
後傾姿勢の貯氷容器３３を水平方向前方へ引き出すと、補助案内部５２により第３摺動子４３が摺動案内され、嵌合溝５１ｇにより第２摺動子４２が摺動案内される。このとき、貯氷容器３３が第２摺動子４２及び第３摺動子４３により前後の２点で支持され、貯氷容器３３を円滑に引き出すことができる。
【００９１】
貯氷容器３３をさらに水平方向前方へ引き出すと、図２２に示すように、第３摺動子４３が規制部６１の下方を通過する。また、第１摺動子４１が主案内部５１から脱離し、第２摺動子４２が規制部５１ｃに当接する。これにより、貯氷容器３３の前進が規制される。従って、使用者が誤って貯氷容器３３の前部を持ち上げながら引き出した際に、貯氷容器３３が貯氷室３８から外れて落下することを防止できる。
【００９２】
第２摺動子４２が規制部５１ｃに当接すると、図２３に示すように、貯氷容器３３の前部がさらに持ち上げられる。これにより、第３摺動子４３を支点にして第２摺動子４２が角度規制部５１ｄよりも上方に回動する。
【００９３】
この姿勢で貯氷容器３３を水平方向前方へ引き出すことにより、第２摺動子４２が主案内部５１から脱離して第３摺動子４３が補助案内部５２から脱離する。これにより、貯氷容器３３が貯氷室３８から取り外される。
【００９４】
貯氷容器３３を貯氷室３８に装着する場合は、図２３に示すように、第３摺動子４３を補助案内部５２に摺動させて貯氷容器３３が水平方向後方に差し込まれる。そして、第２摺動子４２を主案内部５１に挿入する。
【００９５】
第２摺動子４２が主案内部５１に挿入されると、図２２に示すように、貯氷容器３３の前部を下げて第３摺動子４３を支点にして第２摺動子４２を下方に回動させる。これにより、第２摺動子４２が主案内部５１の下面に当接する。
【００９６】
図２１に示すように、貯氷容器３３をさらに水平方向後方に差し込むと、貯氷容器３３は第３摺動子４３が補助案内部５２に摺動案内されて第２摺動子４２が主案内部５１に摺動案内される。そして、第３摺動子４３が規制部６１の下方を通過した後に第２摺動子４２が嵌合溝５１ｇに嵌合する。更に貯氷容器３３を水平方向後方に差し込むことにより、第１摺動子４１が角度規制部５１ｄの後端上方を通過する。
【００９７】
第１摺動子４１が角度規制部５１ｄの後端上方を通過すると、図２０に示すように、貯氷容器３３の前部が下げられる。これにより、第２摺動子４２を支点にして第１摺動子４１は下方に回動し、第１摺動子４１が主案内部５１の下面に当接する。また、第３摺動子４３は既に規制部６１の下方を通過し、上方に回動して規制部６１に面して配される。
【００９８】
さらに貯氷容器３３が後進すると、第１摺動子４１及び第２摺動子４２が嵌合溝５１ｇに摺動案内され、図１９に示すように後端位置に配される。
【００９９】
＜第４実施形態＞
図２４は第４実施形態の貯氷室３８を示す側面断面図である。なお、第３実施形態と同様の部分には同一符号を付して説明を省略する。第３実施形態に対して第４実施形態は規制部５１ｃ及び角度規制部５１ｄが省かれている。
【０１００】
本実施形態によると、第３実施形態と同様の効果を得ることができる。また、貯氷容器３３を着脱する際に、貯氷容器３３の後傾姿勢の傾斜角度を小さくして第２摺動子４２を主案内部５１に対して着脱することができる。これにより、貯氷容器３３を貯氷室３８から容易に着脱することができる。
【０１０１】
なお、本実施形態によると、規制部５１ｃが省かれているため、規制部６１の替わりに緩衝装置５４を設けた場合、貯氷容器３３の前方への移動が規制されず、緩衝装置５４が破損する虞がある。このため、規制部６１の替わりに緩衝装置５４を設けない方が好ましい。
【０１０２】
その他本発明は、第１〜第４実施形態に限定されず、本発明の趣旨を逸脱しない範囲で種々の変更が可能である。例えば、貯氷容器３３以外にも冷蔵室２、野菜室３及び冷凍室４内に着脱可能に配されて前後にスライド移動する収納容器に用いることができる。
【符号の説明】
【０１０３】
１      冷蔵庫
２      冷蔵室
３      野菜室
４      冷凍室
９      圧縮機
１０    冷却器
１２    自動製氷器
２０    断熱壁
２１    給水タンク
２５    給水パイプ
２６    給水ヒータ
３１    製氷皿
３２    製氷モータ
３３    貯氷容器
３４    前面壁
３４ａ  取手部
３５    背面壁
３８    貯氷室
３８ａ  開口部
３９    側壁
４１    第１摺動子
４２    第２摺動子
４３    第３摺動子
５１    主案内部
５１ａ  傾斜面
５１ｂ  段差
５１ｃ  規制部（第２規制部）
５１ｄ  角度規制部
５１ｅ  嵌合溝（第１嵌合溝）
５１ｆ  嵌合溝（第２嵌合溝）
５１ｇ  嵌合溝
５１ｈ  垂直面
５２    補助案内部
５２ａ  傾斜面
５４    緩衝装置（第１規制部）
５５    捻りバネ
５６    アーム部
５６ａ  当接面
５７    支持部
５８    段差部
５９    仕切壁
６０    係止部
６１    規制部（第１規制部）
【図１】
0006755953.tif 000002
【図２】
0006755953.tif 000003
【図３】
0006755953.tif 000004
【図４】
0006755953.tif 000005
【図５】
0006755953.tif 000006
【図６】
0006755953.tif 000007
【図７】
0006755953.tif 000008
【図８】
0006755953.tif 000009
【図９】
0006755953.tif 000010
【図１０】
0006755953.tif 000011
【図１１】
0006755953.tif 000012
【図１２】
0006755953.tif 000013
【図１３】
0006755953.tif 000014
【図１４】
0006755953.tif 000015
【図１５】
0006755953.tif 000016
【図１６】
0006755953.tif 000017
【図１７】
0006755953.tif 000018
【図１８】
0006755953.tif 000019
【図１９】
0006755953.tif 000020
【図２０】
0006755953.tif 000021
【図２１】
0006755953.tif 000022
【図２２】
0006755953.tif 000023
【図２３】
0006755953.tif 000024
【図２４】
0006755953.tif 000025